(57)【特許請求の範囲】
【請求項１】
収納本体部と、
前記収納本体部に設けられたロック機構部と、
前記収納本体部に対して開閉可能に設けられた開閉部と、
前記ロック機構部にロックされる被ロック部と取っ手部とが一体化され、前記開閉部が閉じられた状態で前記被ロック部を前記ロック機構部によりロック可能な位置に配設する共に、前記取っ手部を前記開閉部の表面に露出させた状態で、前記開閉部に取付けられた、取っ手ロック一体ユニットと、
を備え、
前記取っ手ロック一体ユニットは、前記開閉部を貫通して取付けられ、
前記被ロック部は、前記開閉部の裏面に突設状に設けられ、
前記ロック機構部は、前記開閉部の開閉に伴って前記被ロック部を挿脱可能でかつ前記開閉部が閉じられた状態で前記被ロック部の周囲を囲んだ状態で前記被ロック部を挿入可能な挿入凹部が形成された被ロック部収納部と、前記被ロック部収納部に挿入された前記被ロック部をロック可能なロック部とを有し、
前記ロック機構部のうち前記挿入凹部の奥側に発光部が設けられると共に、
前記取っ手ロック一体ユニットの前記被ロック部に、外方に向けて順次幅広となる板状部材に形成され、前記開閉部が閉じられた状態で、前記発光部からの光を取っ手部に向けて外部からに視認可能な位置に導く導光路が設けられた、収納装置。
【請求項２】
請求項１記載の収納装置であって、
前記ロック機構部及び前記被ロック部の一方に位置決め凹部が設けられると共に他方に位置決め部材が設けられ、
前記開閉部が前記収納本体部を閉じた状態で、前記位置決め部材が位置決め凹部に係脱可能に係止して、前記ロック機構部が前記被ロック部をロック可能な状態に維持される、収納装置。
【発明の詳細な説明】
【技術分野】
【０００１】
この発明は、収納本体部に設けられた収納空間を開放状態及び閉鎖状態にする開閉部を、ロック及びアンロックする技術に関する。
【背景技術】
【０００２】
従来、荷物等自動管理ロッカー装置として、特許文献１に開示のものがある。特許文献１では、扉の裏面に電気錠フックが取付けられており、ロッカー装置の収納空間側の前記電気錠フックと対応する位置に電気錠が取付けられている。
【先行技術文献】
【特許文献】
【０００３】
【特許文献１】特開平７−１９７７１０号公報
【発明の概要】
【発明が解決しようとする課題】
【０００４】
ところで、通常、扉には、扉を開閉操作するための取っ手が取付けられている。特許文献１では、取っ手とは別に，電気錠フックが扉に取付けられている。このため、取っ手部及び電気錠フックの取付構造が複雑化するし、また、その取付作業が煩雑化する。
【０００５】
そこで、本発明は、収納部に対して開閉可能とされた開閉部への取っ手部及び被ロック部の取付構造の簡素化及び組立性向上を図ることを目的とする。
【課題を解決するための手段】
【０００６】
上記課題を解決するため、第１の態様に係る収納装置は、収納本体部と、前記収納本体部に設けられたロック機構部と、前記収納本体部に対して開閉可能に設けられた開閉部と、前記ロック機構部にロックされる被ロック部と取っ手部とが一体化され、前記開閉部が閉じられた状態で前記被ロック部を前記ロック機構部によりロック可能な位置に配設する共に、前記取っ手部を前記開閉部の表面に露出させた状態で、前記開閉部に取付けられた、取っ手ロック一体ユニットとを備える。また、前記取っ手ロック一体ユニットは、前記開閉部を貫通して取付けられ、前記被ロック部は、前記開閉部の裏面に突設状に設けられ、前記ロック機構部は、前記開閉部の開閉に伴って前記被ロック部を挿脱可能でかつ前記開閉部が閉じられた状態で前記被ロック部の周囲を囲んだ状態で前記被ロック部を挿入可能な挿入凹部が形成された被ロック部収納部と、前記被ロック部収納部に挿入された前記被ロック部をロック可能なロック部とを有し、前記ロック機構部のうち前記挿入凹部の奥側に発光部が設けられると共に、前記取っ手ロック一体ユニットの前記被ロック部に、外方に向けて順次幅広となる板状部材に形成され、前記開閉部が閉じられた状態で、前記発光部からの光を取っ手部に向けて外部からに視認可能な位置に導く導光路が設けられている。
【０００７】
第２の態様は、第１の態様に係る収納装置であって、前記ロック機構部及び前記被ロック部の一方に位置決め凹部が設けられると共に他方に位置決め部材が設けられ、前記開閉部が前記収納本体部を閉じた状態で、前記位置決め部材が位置決め凹部に係脱可能に係止して、前記ロック機構部が前記被ロック部をロック可能な状態に維持される。
【発明の効果】
【００１１】
第１の態様に係る収納装置によると、被ロック部と取っ手部とが一体化された状態で開閉部に取付けられているため、開閉部への取っ手部及び被ロック部の取付構造の簡素化を図ることできると共にそれらの組立性向上を図ることができる。
【００１２】
第２の態様によると、前記位置決め部材が位置決め凹部に係止するまで開閉部を閉じると、前記ロック機構部が前記被ロック部に確実にロックされる。また、アンロック状態では、位置決め凹部と位置決め部材との係止を解除させて、開閉部を開くことができる。
【００１３】
第１の態様によると、前記取っ手ロック一体ユニットは、前記開閉部を貫通して取付けられているので、当該取っ手ロック一体ユニットを簡単に取付けることができる。
【００１４】
第１の態様によると、ロック機構部の発光部による発光表示を、取っ手部に表示させることができる。この際、取っ手ロック一体ユニットに発光のための電気回路等を組込む必要がないため、構成の簡易化が図られると共に、組立及びメンテナンスが容易となる。
【００１５】
第１の態様によると、被ロック部を被ロック部収容部内に挿入した状態で、ロック部が被ロック部をロックするので、確実なロックがなされる。
【図面の簡単な説明】
【００１６】
【図１】実施形態に係る収納装置を示す正面図である。
【図２】収納装置の部分概略斜視図である。
【図３】取っ手ロック一体ユニット及びロック機構部を示す側面図である。
【図４】取っ手ロック一体ユニットを示す側面図である。
【図５】取っ手ロック一体ユニットを示す平面図である。
【図６】取っ手ロック一体ユニットを示す正面図である。
【図７】取っ手ロック一体ユニットの分解図である。
【図８】ロック機構部の内部構造を示す断面図である。
【図９】ロック機構部に被ロック部を挿入した状態を示す説明図である。
【図１０】収納装置の制御構造を模式的に示すブロック図である。
【発明を実施するための形態】
【００１７】
以下、実施形態に係る収納装置について説明する。
【００１８】
＜全体構成＞
図１は収納装置１０を示す正面図であり、図２は収納装置１０の部分概略斜視図である。
【００１９】
収納装置１０は、収納本体部１２と、この収納本体部１２に対して開閉可能な開閉部としての扉１４とを備えている。扉１４に、取っ手部２２と被ロック部３０とが一体化された取っ手ロック一体ユニット２０が取付けら、収納本体部１２には、前記被ロック部をロック可能なロック機構部４０が設けられている。そして、扉１４を閉じると、ロック機構部４０が被ロック部３０をロック及びアンロックできるようになっている。
【００２０】
より具体的には、収納装置１０は、装置本体１１に、上記収納本体部１２が設けられた構成とされている。ここでは、装置本体１１に、縦横（ここでは、縦４つ×横２つ）に配設するようにして複数の収納本体部１２が設けられている。収納本体部１２は、装置本体１１の前方に開口する収納空間１３を有している。また、収納本体部１２の前方の一側部には、ヒンジを介して扉１４が開閉可能に取付けられている。この扉１４は、収納空間１３の前方空間を閉塞可能な板状に形成されており、扉１４を閉じることで前記収納空間１３の開口が閉鎖され、収納空間１３に対して物を出し入れできなくなる。一方、扉１４を開くことで、収納空間１３の開口が開放され、収納空間１３に対して物を出し入れできるようになる。
【００２１】
なお、収納本体部１２及び扉１４は、複数ある必要はなく、１つであってもよい。また、収納本体部１２の収納空間１３に対して引出箱が出し入れされる構成であってもよい。この場合、引出箱の前方のパネル部分が、収納本体部１２に対して開閉可能な開閉部である。
【００２２】
図３は取っ手ロック一体ユニット２０及びロック機構部４０を示す側面図である。図１〜図３に示すように、扉１４を閉じた状態で、扉１４の周縁部は、収納本体部１２の収納空間１３の開口の周縁部に被さるように配設される。扉１４のうちヒンジとは反対側の側部に取っ手ロック一体ユニット２０が取付けられている。取っ手ロック一体ユニット２０の取っ手部２２は、扉１４の表面側（閉じた状態で外方を向く面側）に露出しており、本収納装置１０の利用者は当該取っ手部２２を持って扉１４の開閉を行える。また、取っ手ロック一体ユニット２０のうち被ロック部３０は、扉１４の裏面側（閉じた状態で内方を向く面側）に突出している。
【００２３】
また、収納装置１０のうち扉１４を閉じた状態で被ロック部３０と対向する部分にロック機構部４０が設けられている。そして、扉１４を閉じると、被ロック部３０がロック機構部４０に向けて移動し、当該ロック機構部４０によりロック可能な位置に配設される。この状態で、ロック機構部４０がロック状態になると、扉１４は閉じた状態に維持され、ロック機構部４０がアンロック状態になると、扉１４を開ける状態になる。
【００２４】
また、装置本体１１の正面の一部である上部には、操作パネル１６が設けられている。操作パネル１６には、カードリーダ部１６ａ、入力キー１６ｂ、表示部１６ｃが設けられている。カードリーダ部１６ａは、かざされたカードの情報を読取り可能な装置である。カードリーダ部１６ａとしては、磁気方式、無線方式等の各種方式によってカードの情報を読取り可能な装置が想定され、従って、読取り可能なカードとしては、磁気カード、ＩＣカード等が想定される。入力キー１６ｂは、いわゆるテンキー等であり、暗証番号等を受付けることができる。表示部１６ｃは、液晶表示パネル等によって構成され、本収納装置１０の諸状態を表示するために用いられる。
【００２５】
＜取っ手ロック一体ユニット＞
図４は取っ手ロック一体ユニット２０を示す側面図であり、図５は取っ手ロック一体ユニット２０を示す平面図であり、図６は取っ手ロック一体ユニット２０を示す正面図であり、図７は取っ手ロック一体ユニット２０の分解図である。
【００２６】
図３〜図６に示すように、取っ手ロック一体ユニット２０は、取っ手部２２と被ロック部３０とが一体化された構成とされている。
【００２７】
取っ手部２２は、取っ手本体部２３と、取付突部２６とを有する部材であり、樹脂によって一体形成されている。
【００２８】
取っ手本体部２３は、人手によって掴める形状、ここでは、細長直方体状に形成されている。また、取っ手本体部２３の先端側両側縁部には突条部２３ａが形成されており、取っ手本体部２３の両側部を人手によって掴んだ際に、当該突条部２３ａが滑り止めとなって、取っ手本体部２３をより確実に掴めるようになっている。
【００２９】
取付突部２６は、取っ手本体部２３の背面側より延出する長方形筒形状に形成されている。取っ手本体部２３の長手方向において、取付突部２６の寸法は取っ手本体部２３の寸法よりも小さい。従って、取付突部２６の両外方（図４の上下外方）に取っ手本体部２３が延出している。また、取っ手本体部２３の幅方向においても、取付突部２６の寸法は取っ手本体部２３の寸法よりも小さい（ここでは僅かに小さい）。従って、取付突部２６の両側外方に取っ手本体部２３が突出（ここでは僅かに突出）している。
【００３０】
上記取っ手本体部２３のうち取付突部２６より突出して当該取付突部２６側に向く面には、ネジ孔２３Ｓが形成されている。また、扉１４には、上記取付突部２６を挿通可能でかつ取っ手本体部２３を挿通できない（ここでは、取付突部２６の外周周りより僅かに大きい）取付孔１４ｈが形成されている。そして、扉１４の表面側より、取付突部２６を取付孔１４ｈに挿通させて、取っ手本体部２３を取付孔１４ｈの周縁部で扉１４の表面に当接させると共に、取付突部２６を扉１４の裏面側に突設させた状態にすることができる。この状態で、ネジＳを、扉１４の裏面側より、扉１４のネジ挿通孔１４Ｓを通ってネジ孔２３Ｓにネジ締めすることで、取っ手本体部２３を扉１４の表面側に露出（ここでは、突出）させた状態で、取っ手部２２が扉１４に取付けられる。
【００３１】
後述するように取付突部２６には、被ロック部３０が装着されるので、取っ手ロック一体ユニット２０は、扉１４を前記取付孔１４ｈで貫通して当該扉１４に取付けられていることになる。
【００３２】
なお、本実施形態では、取っ手部２２を扉１４に取付固定しているが、被ロック部３０を扉１４にネジ等で取付固定するようにしてもよい。また、取っ手ロック一体ユニット２０を扉１４に固定する構成は、ネジ止に限らず、嵌め込み、カシメ、接着剤等によって行われてもよい。
【００３３】
また、上記取付突部２６の先端部から取っ手本体部２３に至る方形状の装着孔２７が形成されている。装着孔２７の底部は、当該底部よりも小さい（ここでは一回り小さい）窓部２７ｗを介して、取っ手本体部２３の表面に開口している。この装着孔２７の底部に、第１導光部材２８が配設される。第１導光部材２８は、装着孔２７の底部に配設可能でかつ窓部２７ｗよりも大きい細長板状部材であり、後述する第２導光部材３８より導かれる光を、なるべく窓部２７ｗ全体で照射させるように導く部材である。第１導光部材２８としては、光拡散板等を用いることができる。もっとも、第１導光部材２８は省略されてもよい。
【００３４】
また、装着孔２７の底部に第１導光部材２８が配設された状態で、装着孔２７に被ロック部３０が嵌め込み固定される。
【００３５】
被ロック部３０は、被ロック部３０によりロック可能な部材、即ち、被ロック部３０によりロック可能なロック用凹部３３が形成された部材であり、上記扉１４の裏面側に突設状に設けられている。
【００３６】
より具体的には、被ロック部３０は、ロック機構部４０の被ロック部収容部４２（後述する）に挿入可能な板状に形成されている。
【００３７】
ここでは、被ロック部３０は、長方形状の板形状に形成されており、被ロック部３０の一端部が被ロック部収容部４２に挿入可能な挿入端部３１に形成され、被ロック部３０の他端部が装着孔２７に挿入可能な装着端部３２に形成されている。ここでは、装着端部３２は、挿入端部３１より薄幅（ここでは僅かに薄幅）に形成されている。また、挿入端部３１の両側部先端部は、先端側に向けて内向き傾斜する傾斜面３１ａに形成されており、扉１４を閉じる際に、挿入端部３１を円滑に被ロック部収容部４２に挿入できるようになっている。
【００３８】
また、被ロック部３０の一側部（図４の上側の側部）には、ロック用凹部３３が形成され、被ロック部３０の他側部（図４の下側の側部）には位置決め凹部３４が形成されている。また、被ロック部３０の先端縁部には、凹部３５が形成されている。
【００３９】
また、ここでは、被ロック部３０は、その厚み方向に２分割された分割部材３６Ａ、３６Ｂを有している。分割部材３６Ａ、３６Ｂの突き合せ面には、被ロック部３０の挿入方向に沿って導光用溝部３７が形成されている。ここでは、分割部材３６Ａ、３６Ｂの突き合せ面の幅方向中央に、被ロック部３０の挿入方向とは逆側に向けて順次幅広となる導光用溝部３７が形成されている。この導光用溝部３７は、分割部材３６Ａ、３６Ｂの両端に開口している。
【００４０】
分割部材３６Ａ、３６Ｂを突き合せて合体させた状態で、導光用溝部３７内に、導光路としての第２導光部材３８が配設される。第２導光部材３８の両端は、被ロック部３０の両端より露出している。第２導光部材３８は、後述する発光部５３からの光を取っ手部２２に向けて外部から視認可能な位置に導くように構成されている。ここでは、第２導光部材３８は、アクリル樹脂等の透明樹脂によって、上記導光用溝部３７内に形状に応じて、外方に向けて順次幅広となる板状部材に形成されている。
【００４１】
そして、分割部材３６Ａ、３６Ｂが突き合せ合体された状態で、装着端部３２が取っ手部２２の装着孔２７に挿入される。そして、装着端部３２の端面及び第２導光部材３８の端面が、装着孔２７の底部の第１導光部材２８に押し当てられた状態で、装着端部３２が装着孔２７内に固定される。
【００４２】
この状態で、第２導光部材３８の細い側の端部より光が導入されると、その光は、第２導光部材３８で内部反射しつつ拡げられ、太い側の端部に導かれる。この光は、上記第１導光部材２８を介して窓部２７ｗを通って外部に照射される。従って、外部から取っ手部２２を見ると、窓部２７ｗが光って認識される。
【００４３】
なお、上記分割部材３６Ａ、３６Ｂの合体状態、装着孔２７への被ロック部３０の挿入取付状態は、接着剤、嵌合構造、ねじ止等の各種構成によって維持される。
【００４４】
次に、ロック機構部４０について説明する。図８はロック機構部４０の内部構造を示す断面図であり、図９ロック機構部４０に被ロック部３０を挿入した状態を示す説明図である。
【００４５】
ロック機構部４０は、上記したように被ロック部収容部４２と、ロック部６０とを備えている。
【００４６】
被ロック部収容部４２には、被ロック部３０の挿入端部３１を挿脱可能な挿入凹部４３が形成されている。ここでは、被ロック部収容部４２は、樹脂等で形成された部材であり、その一主面側に開口するようにして挿入凹部４３が形成されている。本ロック機構部４０が収納本体部１２にネジ止、係止構造等によって取付けられた状態で、挿入凹部４３は、閉じられた扉１４の裏面に突出する被ロック部３０に対向する位置に配設される。そして、扉１４を閉じると、被ロック部３０が挿入凹部４３に挿入され、扉１４を開けると被ロック部３０が挿入凹部４３から抜かれるようになる。つまり、扉１４の開閉に伴って、被ロック部３０が被ロック部収容部４２に挿脱される。
【００４７】
また、被ロック部収容部４２のうち挿入凹部４３の下部に対応する位置に、位置決め部材として位置決め棒部材４４が設けられている。位置決め棒部材４４は、被ロック部収容部４２に形成された長孔に挿通支持されることで、挿入凹部４３内に突出する突出位置と当該挿入凹部４３から退避する退避位置との間で移動可能に支持されると共に、バネ等の付勢部材４４Ｓによって突出位置に向けて付勢されている。そして、被ロック部３０が挿入凹部４３内に挿入される際には、位置決め棒部材４４は被ロック部３０の一側面に当接して挿入凹部４３から退避する位置に押される。また、被ロック部３０の位置決め凹部３４の位置が位置決め棒部材４４の配設位置に達するまで（ここでは、扉１４を閉じて被ロック部３０を挿入凹部４３の奥まで押込んだ状態）、被ロック部３０が挿入凹部４３内に挿入されると、付勢部材４４Ｓの付勢力によって位置決め棒部材４４が突出位置に移動して、被ロック部３０の位置決め凹部３４に嵌め込まれ係脱可能に係止する。これにより、扉１４を閉じようとする利用者は、被ロック部３０を十分に奥まで挿入できたこと、即ち、扉１４を完全に閉じることができたことを知覚することができる。また、アンロック状態において、前記状態、つまり、ロック機構部４０が被ロック部３０をロック可能な状態に仮維持することができる。
【００４８】
なお、上記とは逆に、ロック機構部４０側に位置決め凹部が形成され、被ロック部３０側に前記位置決め凹部に係脱可能に係止する位置決め部材が設けられていてもよい。
【００４９】
また、挿入凹部４３の奥部には、上記被ロック部３０の凹部３５に対応する位置に突起部４５が設けられており、被ロック部３０を正常姿勢で挿入凹部４３の奥に挿入した状態で、突起部４５が凹部３５に嵌め込まれるようになっている。
【００５０】
また、上記被ロック部収容部４２のうち上記挿入凹部４３の奥側に、基板収容凹部５０が形成され、この基板収容凹部５０内の一定位置に基板５１が取付けられている。基板５１の取付は、ねじ止、接着剤による固定等により行われる。この基板５１が組付けられた位置は、挿入凹部４３の奥底部と、後述するロック用駆動部６１の間の位置である。
【００５１】
基板５１には、検知部５２と、発光部５３が取付けられている。
【００５２】
検知部５２は、被ロック部３０の挿脱状態、即ち、被ロック部３０が挿入凹部４３内に完全に挿入されたかどうかを検知するものであり、ここでは、マイクロスイッチにより構成されている。すなわち、検知部５２は、押動操作可能な操作部５２ａを有しており、操作部５２ａが押されることによりオンオフ切替るようになっている。この検知部５２は、上記操作部５２ａを検知部５２に突出させた位置及び姿勢で上記基板５１に固定されている。ここでは、操作部５２ａは、挿入凹部４３の奥部において被ロック部３０の挿入方向とは逆側に突出するように設けられている。そして、被ロック部３０が挿入凹部４３内に完全に挿入されることで、被ロック部３０の先端部が操作部５２ａに当接して当該操作部５２ａを押込む。これにより、検知部５２がオンオフ切替り、その切替りに応じた信号を、ホルダ検知信号として出力するようになっている。なお、管理ホルダの挿脱状態を検知する検知部に関して、マイクロスイッチのような機械的なものの他、光学的なセンサも適用可能である。
【００５３】
発光部５３は、発光ダイオード等によって構成されており、挿入凹部４３の奥側であって、当該挿入凹部４３内に挿入された被ロック部３０の先端部で第２導光部材３８の端面に対向する位置で、上記基板５１に固定されている。つまり、検知部５２と、発光部５３とは同じ基板５１に取付けられている。そして、挿入凹部４３内に被ロック部３０が挿入された状態で、発光部５３からの光が被ロック部３０の先端部で第２導光部材３８の端面内に入射するようになっている。なお、２つの発光部５３は、被ロック部３０の挿入方向にずらして配置することで、被ロック部３０の挿入方向から見て重複するように固定されている。これにより、発光部５３の実際の大きさ（幅）の制約をあまり受けずに、発光部５３の発光ポイントをより狭い領域に配設することができる。このように２つの発光部５３を、第２導光部材３８の端面に対向して配設することで、２つの発光部５３の切替による２色の選択的な発光が可能となる。
【００５４】
また、基板５１にはコネクタ５４も固定されており、検知部５２、発光部５３とコネクタ５４とは、基板５１上で配線５５を介して電気的に接続されている。コネクタ５４には、後述する制御部１００側より引出された配線５４ｂ端部の外部コネクタ５４ａがコネクタ接続される。これにより、上記検知部５２、発光部５３が、コネクタ５４に接続された外部コネクタ５４ａ及び配線５４ｂを介して制御回路等に電気的に接続される。
【００５５】
上記検知部５２、発光部５３、コネクタ５４は、リード線を有するリード部品であってもよいし、表面実装タイプのチップ部品であってもよい。上記基板５１に対する検知部５２、発光部５３、コネクタ５４の固定は、ハンダ付け固定であってもよいし、接着剤による固定であってもよい。また、検知部５２、発光部５３とコネクタ５４との電気的な接続を行う配線５５は、基板５１に銅箔等で形成された配線パターンであってもよいし、或は、導電線等によって構成されたジャンパ線等であってもよい。
【００５６】
ロック部６０は、挿入凹部４３に挿入された被ロック部３０をロック可能に構成されている。ここでは、ロック部６０は、ロック用駆動部６１と、ロックレバー６３とを備えている。
【００５７】
ロック用駆動部６１は、挿入凹部４３の奥底部よりも、奥側（被ロック部３０の挿入方向側）に設けられており、進退駆動可能なロッド部６２を有している。ここでは、ロック用駆動部６１は、内蔵されたソレノイドの励磁、消磁により前記ロッド部６２を進退駆動するソレノイド装置により構成されている。
【００５８】
ロックレバー６３は、上記挿入凹部４３の奥底部とロック用駆動部６１との間を通る直線上にある（図９等では挿入凹部４３の奥底部とロック用駆動部６１との間の上側）軸部６３ａ周りに回転可能に支持された長尺状の部材である。ロックレバー６３の一端部は、挿入凹部４３に向けて突出する爪状の係止部６４に形成されている。また、ロックレバー６３の他端部は、上記ロック用駆動部６１のロッド部６２に連結されている。そして、ロック用駆動部６１のロッド部６２の退避駆動により、係止部６４を挿入凹部４３の外方に退避させたアンロック姿勢（図９の実線参照）に姿勢変更する。また、ロック用駆動部６１のロッド部６２の進出駆動により、係止部６４を挿入凹部４３内に突出させたロック姿勢（図９の２点鎖線参照）に姿勢変更する。この状態では、被ロック部３０が挿入凹部４３内に完全に奥まで挿入されると、係止部６４が被ロック部３０のロック用凹部３３内に嵌め込まれ、被ロック部３０の抜止めが図られるようになっている。
【００５９】
図１０は、収納装置１０の制御構造を模式的に示すブロック図である。すなわち、収納装置１０は、カードリーダ部１６ａ、入力キー１６ｂ、検知部５２から与えられる情報に基づいて、制御部１００が、表示部１６ｃ、ロック部６０（ロック用駆動部６１）、発光部５３等の駆動制御を行う。
【００６０】
例えば、制御部１００は、いずれか１つの収納本体部１２の収納空間１３に対して物を出し入れするに際して、入力キー１６ｂを通じて利用対象となる収納本体部１２の特定がなされると、カードリーダ部１６ａにより使用者用カードの情報を読み取る。そして、制御部１００は、予め設定された利用権限情報に基づいて、当該使用者が利用可能と判断された場合には、被ロック部３０をアンロック状態にして扉１４を開ける状態にする。当該収納本体部１２を利用可能などうかの判断は、入力キー１６ｂに対する暗証番号の入力によりなされてもよい。
【００６１】
そして、扉１４が開かれた後、再度扉１４が閉じられ、被ロック部３０が被ロック部収容部４２に挿入され、これが検知部５２によって検知されると、制御部１００は、被ロック部３０をロック状態にして扉１４を開けない状態にする。
【００６２】
これらの動作に際して、制御部１００は、検知部５２の検知信号に基づいて被ロック部３０の装着状態を監視することで、扉１４の開閉状態を監視する。また、ロック部６０のロック状態等を、発光部５３の発光によって表示する。
【００６３】
以上のように構成された収納装置によると、被ロック部３０と取っ手部２２とが一体化された状態で扉１４に取付られているため、扉１４への取っ手部２２及び被ロック部３０の取付構造の簡素化を図る事ができると共にそれらの組立性向上を図ることができる。
【００６４】
特に、取っ手ロック一体ユニット２０は、扉１４を貫通して取付けられているので、取っ手ロック一体ユニット２０をより簡単に扉１４に取付けることができる。
【００６５】
また、位置決め棒部材４４が位置決め凹部３４に係止するまで扉１４を閉じると、扉１４を完全に閉じることができ、また、この状態でロック機構部４０が被ロック部３０に確実にロックさせることができる。また、アンロック状態では、位置決め凹部３４から位置決め棒部材４４を脱出させて、扉１４を開くことができる。
【００６６】
また、取っ手ロック一体ユニット２０に第１導光部材２８及び第２導光部材３８が組込まれ、ロック機構部４０の発光部５３による発光表示を、第１導光部材２８及び第２導光部材３８を通じて取っ手部２２に表示させることができる。このため、取っ手ロック一体ユニット２０に発光表示のための電気回路等を組込むことなく発光表示が可能となり、構成の簡易化が図られると共に、組立及びメンテナンスが容易となる。また、利用者が掴もうとする取っ手部２２自体が発光するため、視認性に優れる。なお、発光部５３による光を取っ手部２２に導く構成は上記例に限られない。例えば、被ロック部３０に単なる孔が形成され、光が当該孔を通って導光されるものであってもよい。
【００６７】
また、被ロック部３０は扉１４の裏面に突設状に設けられ、ロック機構部４０は、扉１４の開閉に伴って被ロック部３０を挿脱可能な被ロック部収容部４２と、被ロック部収容部４２に挿入された被ロック部３０をロック可能なロック部６０とを備えるため、被ロック部３０をより確実に被ロック部３０にロックさせることができる。
【００６８】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６９】
１０  収納装置
１２  収納本体部
１３  収納空間
１４  扉
２０  取っ手ロック一体ユニット
２２  取っ手部
２７ｗ  窓部
２８  第１導光部材
３０  被ロック部
３１  挿入端部
３３  ロック用凹部
３４  位置決め凹部
３８  第２導光部材
４０  ロック機構部
４２  被ロック部収容部
４３  挿入凹部
４４  位置決め棒部材
４４Ｓ  付勢部材
５３  発光部
６０  ロック部
６１  ロック用駆動部
【図１】
0005879077.tif 000002
【図２】
0005879077.tif 000003
【図３】
0005879077.tif 000004
【図４】
0005879077.tif 000005
【図５】
0005879077.tif 000006
【図６】
0005879077.tif 000007
【図７】
0005879077.tif 000008
【図８】
0005879077.tif 000009
【図９】
0005879077.tif 000010
【図１０】
0005879077.tif 000011